(57)【要約】【課題】引き違いサッシ等において、枠体からの冷熱の伝達を抑制して、さらなる断熱性能の向上を図る。【解決手段】  建物開口部に配置される枠体と、枠体内に開閉自在に配置される障子を備え、枠体は、上枠と、上枠の内周に配置される樹脂材料からなる樹脂部材を有し、樹脂部材は、上枠内周面に沿って配置される内周壁部と、内周壁部の室外側から下方に向かって設けられた見付け壁部を有し、見付け壁部の下方部位に、障子の見付け面に近接する振れ止め部が設けられているとともに、内周壁部に、振れ止め部に近接もしくは当接する突出部材が設けられている。【選択図】図５
2019035224.tif 000002
【特許請求の範囲】
【請求項１】
建物開口部に配置される枠体と、枠体内に開閉自在に配置される障子を備え、
枠体は、上枠と、上枠の内周に配置される樹脂材料からなる樹脂部材を有し、
樹脂部材は、上枠内周面に沿って配置される内周壁部と、内周壁部の室外側から下方に向かって設けられた見付け壁部を有し、
見付け壁部の下方部位に、障子の見付け面に近接する振れ止め部が設けられているとともに、
内周壁部に、振れ止め部に近接もしくは当接する突出部材が設けられている
ことを特徴とする断熱サッシ。
【発明の詳細な説明】
【技術分野】
【０００１】
本発明は、建物開口部に配置される断熱サッシに関する。
【背景技術】
【０００２】
従来、建物開口部に配置される断熱サッシとして、金属枠体の内周面に樹脂枠体を取り付けた複合枠に対して、金属框材の室内側に樹脂框材を取り付けた複合障子を配置してなる断熱サッシが公知となっている。（特許文献１）
【先行技術文献】
【特許文献】
【０００３】
【特許文献１】特開２０１７−６６７４７号公報
【発明の概要】
【発明が解決しようとする課題】
【０００４】
上記特許文献１の建具は、室内側に樹脂材料からなる樹脂枠体を配置することで、建具の室内側面からの冷熱の伝達を抑制し、断熱性能を向上させることができる。
本発明は、金属材料からなる室外側部材と樹脂材料からなる室内側部材からなる複合サッシにおいて、枠体と障子との間の室内外の冷熱の伝達を抑制して、さらなる断熱性能の向上を図ることを目的とする。
【課題を解決するための手段】
【０００５】
本発明の一つの実施形態は、建物開口部に配置される枠体と、枠体内に開閉自在に配置される障子を備え、枠体は、上枠と、上枠の内周に配置される樹脂材料からなる樹脂部材を有し、樹脂部材は、上枠内周面に沿って配置される内周壁部と、内周壁部の室外側から下方に向かって設けられた見付け壁部を有し、見付け壁部の下方部位に、障子の見付け面に近接する振れ止め部が設けられているとともに、内周壁部に、振れ止め部に近接もしくは当接する突出部材が設けられていることを特徴とする。
【発明の効果】
【０００６】
本発明の構成により、引き違いサッシ等において、枠体と障子との間の室内外の冷熱の伝達を抑制して、さらなる断熱性能の向上を図ることができる。
【図面の簡単な説明】
【０００７】
【図１】本発明の断熱サッシの外観姿図である。
【図２】本発明の断熱サッシの図１におけるｘ１−ｘ１縦断面図である。
【図３】本発明の断熱サッシの図１におけるｘ２−ｘ２縦断面図である。
【図４】本発明の断熱サッシの横断面図である。
【図５】本発明の断熱サッシの外障子側上枠付近の拡大図ある。
【発明を実施するための形態】
【０００８】
本発明の実施形態に係る断熱サッシについて、図面を参考にして説明する。
−断熱サッシ全体の構成−
本発明の実施形態に係る断熱サッシは、例えばビル等の建物開口部に設けられるものであり、図１に示されるように、枠体１と、枠体１に対して引き違い自在に配置された内障子２および外障子３を有している。
枠体１は、上下の横枠（上枠１１および下枠１２）と左右の竪枠１３，１４を四周に枠組みしてなり、内障子２および外障子３は、それぞれ上下の横框（上框２１，３１および下框２２，３２）と左右の竪框（２３，２４，３３，３４）を四周に框組してなり、内周にガラス等のパネル体（２５，３５）を嵌め込んで形成されている。
【０００９】
−枠体の構成−
（上枠の構成）
サッシの枠体１を構成する上枠１１は、図２，３に示すように、建物開口部に固定されアルミ合金等の金属材料からなる金属上枠１１１と、金属上枠１１１の室内側見付け面に配置され樹脂材料からなる樹脂上枠１１２と、を有している。さらに、上枠１１は、金属上枠１１１の内周面に配置され樹脂材料からなる樹脂カバー部材１１３（図２）及びアルミ合金等の金属材料からなる金属カバー部材１１４（図３）を有している。
【００１０】
上枠１１の金属上枠１１１は、建物開口部の内周に取り付けられる上枠本体部１１１ａと、上枠本体部１１１ａの室内側端から垂下された室内側壁部１１１ｂと、上枠本体部１１１ａの室外側端から垂下された室外側壁部１１１ｃと、上枠本体部１１１ａの中央下面付近より垂下された中央壁部１１１ｄと、室外側壁部１１１ｃと中央壁部１１１ｄの間において上枠本体部１１１ａの下面から垂設された室外側上レール１１１ｅを有している。
【００１１】
金属上枠１１１の室内側壁部１１１ｂの下端室外側面には、内障子２の上框２１の室内側面に当接する気密材ｓ２１が取付溝等によって取り付けられており、室内側壁部１１１ｂの室内側面には、樹脂上枠１１２を取り付けるための係合部が設けられている。また、金属上枠１１１の中央壁部１１１ｄの下端室外側面には、外障子３の上框３１の室内側面に当接する気密材ｓ３１が取付溝等によって取り付けられており、中央壁部１１１ｄの室内側面には、樹脂カバー部材１１３もしくは金属カバー部材１１４を取り付けるために係合部が設けられている。
【００１２】
上枠１１の樹脂上枠１１２は、金属上枠１１１の室内側壁部１１１ｂの係合部に係合されることで金属上枠１１１に固定されている。樹脂上枠１１２は、金属上枠１１１の見付け（左右）方向全長に亘って室内側面を覆うように配置された樹脂上枠本体部１１２ａと、樹脂上枠本体部１１２ａの内周室内側端より室内側に延設された鍔部１１２ｂを有している。
そして、金属上枠１１１に固定された樹脂上枠１１２の樹脂上枠本体部１１２ａの下壁が室外側に延設されており、室内側壁部１１１ｂの下端面を覆うと共に気密材ｓ２１に当接もしくは近接している。
【００１３】
上枠１１の樹脂カバー部材１１３は、図２に示すように、上枠本体部１１１ａの内周（下）面に沿って配置される内周壁部１１３ａと、内周壁部１１３ａの室内側から下方に向けて設けられた室内側の見付け壁部１１３ｂと、内周壁部１１３ａの室外側から下方に向けて設けられ、中央壁部１１１ｄの室内側に沿って配置された断面中空形状の室外側の見付け壁部１１３ｃと、室外側の見付け壁部１１３ｃの下端より室内方向に向けて設けられた断面中空形状の下壁部１１３ｄと、を有している。
【００１４】
樹脂カバー部材１１３は、内、外障子２，３の閉鎖時で見付け方向外障子３側において、金属上枠１１１の内周に配置されており、室内側の見付け壁部１１３ｂを金属上枠１１１の室内側壁部１１１ｂの室外側に形成された気密材の取付溝に係止するとともに、室外側の見付け壁部１１３ｃおよび下壁部１１３ｄを中央壁部１１１ｄに形成された係合部に係合することにより、金属上枠１１１に取り付けられている。樹脂カバー部材１１３の下壁部１１３ｄは、中央壁部１１１ｄの下端面において気密材ｓ３１に当接もしくは近接するように配置されており、閉鎖した外障子３の室内側において金属上枠１１１が室内に露出することがない。
【００１５】
上枠１１の金属カバー部材１１４は、図３に示すように、上枠本体部１１１ａの内周（下）面に沿って配置される内周壁部１１４ａと、内周壁部１１４ａの室内側から下方に向けて設けられた室内側の見付け壁部１１４ｂと、内周壁部１１４ａの室外側から下方に向けて設けられ中央壁部１１１ｄの室内側に沿って配置された断面中空形状の室外側の見付け壁部１１４ｃと、室外側の見付け壁部１１４ｃの下端より室内方向に延設された断面中空形状の下壁部１１４ｄと、を有している。
【００１６】
金属カバー部材１１４は、内、外障子２，３の閉鎖時で見付け方向内障子２側において、金属上枠１１１の内周に配置されており、室内側の見付け壁部１１４ｂを金属上枠１１１の室内側壁部１１１ｂの室外側に形成された気密材の取付溝に係止するとともに、室外側の見付け壁部１１４ｃおよび下壁部１１４ｄを中央壁部１１１ｄに形成された係合部に係合することにより、金属上枠１１１に取り付けられている。
【００１７】
（下枠の構成）
サッシの枠体１を構成する下枠１２は、図２，３に示すように、建物開口部に固定されアルミ合金等の金属材料からなる金属下枠１２１と、金属下枠１２１の室内側見付け面に配置され樹脂材料からなる樹脂下枠１２２と、を有している。さらに、下枠１２は、内、外障子２，３の閉鎖状態において、外障子３側の金属下枠１２１の内周面（上面）であって、内レールの室内側に配置された内樹脂カバー部材１２３及び内レールの室外側に配置された外樹脂カバー部材１２４を有している。
【００１８】
下枠１２の金属下枠１２１は、建物開口部の内周に取り付けられた下枠本体部１２１ａと、下枠本体部１２１ａの室内側に設けられた断面中空形状の立上り部１２１ｂと、立上り部１２１ｂの室内側見付け面が上方に延設されてなる室内側壁部１２１ｃと、立上り部１２１ｂの室外側面の上方位置から室外側に向かって延設された気密材保持片部１２１ｄと、立上り部１２１ｂの上面に設けられた室内下レール部１２１ｅと、下枠本体部１２１ａの室外側上面に設けられた室外下レール部１２１ｆと、下枠本体部１２１ａの室外側端部が上方に屈曲された室外側壁部１２１ｇを有している。
【００１９】
金属下枠１２１の室内側壁部１２１ｃの上端室外側面には、内障子２の下框２２の室内側面に当接する気密材ｓ２２が取付溝等によって取り付けられており、気密材保持片部１２１ｄの室外側端部には、外障子３の下框３２の室内側面に当接する気密材ｓ３２が取付溝等によって取り付けられている。
【００２０】
立上り部１２１ｂの室内側面および室内側壁部１２１ｃの上端部には、樹脂下枠１２２を取り付けるための係合部が形成されている。また、室内下レール部１２１ｅの室内側面及び室内側壁部１２１ｃの室外側面に、内樹脂カバー部材１２３を取り付けるための係止部が形成されており、室内下レール部１２１ｅの室外側面及び気密材保持片部１２１ｄの室外側端部近傍に、外樹脂カバー部材１２４を取り付けるための係止部が形成されている。
なお、金属下枠１２１の室外側壁部１２１ｇは、金属上枠１１１の室外側壁部１１１ｃとともに、図示しない網戸が走行するレールを構成してもよい。
【００２１】
下枠１２の樹脂下枠１２２は、立上り部１２１ｂの室内側面および室内側壁部１２１ｃの上端部に形成された係合部に係合されることで金属下枠１２１に固定されている。樹脂下枠１２２は、金属下枠１２１の見付け（左右）方向全長に亘って室内側面を覆うように配置された樹脂下枠本体１２２ａと、樹脂下枠本体１２２ａの内周室内側端より室内側に延設された鍔部１２２ｂを有している。
そして、金属下枠１２１に固定された樹脂下枠１２２の樹脂下枠本体１２２ａの上壁が室外側に延設されており、室内側壁部１２１ｃの上端面を覆うと共に気密材ｓ２２に当接もしくは近接している。
【００２２】
下枠１２の内樹脂カバー部材１２３は、室内下レール部１２１ｅの室内側面及び室内側壁部１２１ｃの室外側面に形成された係合部に係合されることで、室内下レール部１２１ｅの室内側面から室内側壁部１２１ｃに取り付けられた気密材ｓ２２に至る金属下枠１２１を覆っている。また、外樹脂カバー部材１２４は、室内下レール部１２１ｅの室外側面及び気密材保持片部１２１ｄの室外側端部近傍に形成された係合部に係合されていることで、室内下レール部１２１ｅの室外側面から気密材ｓ３２に至る金属下枠１２１を覆っている。このため、内、外障子２，３の閉鎖状態において、外障子３側の下枠１２の室内側への露出を最小減にとどめている。
【００２３】
（左竪枠の構成）
サッシの枠体１を構成する左竪枠１３は、図４に示すように、建物開口部に固定されアルミ合金等の金属材料からなる金属左竪枠１３１と、金属左竪枠１３１の室内側内周面に配置され樹脂材料からなる主樹脂左竪枠１３２と、主樹脂左竪枠１３２の内周面に配置された副樹脂左竪枠１３３を有している。
【００２４】
左竪枠１３の金属左竪枠１３１は、建物開口部の内周に取り付けられる左竪枠本体部１３１ａと、左竪枠本体部１３１ａの室内側端内周面から内周方向に延設された室内側壁部１３１ｂと、左竪枠本体部１３１ａの見込み方向で中央よりやや室外側寄りから内周方向に延設された気密材取付部１３１ｃと、気密材取付部１３１ｃの室外側で左竪枠本体部１３１ａの内周面から内周方向に延設された引寄せ片部１３１ｄと、左竪枠本体部１３１ａの室外側端内周面から内周方向に延設された室外側壁部１３１ｅを有している。
【００２５】
金属左竪枠１３１の気密材取付部１３１ｃの室外側面には、外障子３の戸先框３３の室内側面に当接する気密材ｓ３３が取付溝等により取り付けられており、気密材取付部１３１ｃの室内側面には、主樹脂左竪枠１３２の室外側端部を係合する係合部が形成されている。
【００２６】
左竪枠１３の主樹脂左竪枠１３２は、中空部を有し金属左竪枠１３１の気密材取付部１３１ｃよりも室内側の内周面を覆う樹脂左竪枠本体部１３２ａと、金属左竪枠１３１よりも室内側に位置するように樹脂左竪枠本体部１３２ａの室内側に形成された室内側部１３２ｂと、中空部の室外側に形成された副樹脂竪枠取付部１３２ｃと、室内側部１３２ｂの室内側内周端から室内方向に延設された鍔部１３２ｄを有している。
【００２７】
主樹脂左竪枠１３２は、樹脂左竪枠本体部１３２ａと室内側部１３２ｂとの境目部分の外周側に、金属左竪枠１３１の室内側壁部１３１ｂが嵌合される嵌合部１３２ｅが形成されており、金属左竪枠１３１の室内側壁部１３１ｂを嵌合させた状態で室外側端部を気密材取付部１３１ｃの室内側面に形成された係合部に係合させることで、金属左竪枠１３１の見付け（上下）方向全長に亘って配置されている。
そして、主樹脂左竪枠１３２は、内、外障子２，３の閉鎖時において、金属左竪枠１３１の内周面を覆っており，金属左竪枠１３１が室内側に露出することがない。
【００２８】
左竪枠１３の副樹脂左竪枠１３３は、軟質の樹脂材料等からなる戸当り部１３３ａと、主樹脂左竪枠１３２の副樹脂竪枠取付部１３２ｃに係合する取付部１３３ｂを有している。副樹脂左竪枠１３３は、取付部１３３ｂを主樹脂左竪枠１３２の副樹脂竪枠取付部１３２ｃに取り付けることで、戸当り部１３３ａが主樹脂左竪枠１３２の内周面に連続するように取り付けられている。
【００２９】
（右竪枠の構成）
サッシの枠体１を構成する右竪枠１４は、図４に示すように、建物開口部に固定されアルミ合金等の金属材料からなる金属右竪枠１４１と、金属右竪枠１４１の室内側端部に配置され樹脂材料からなる樹脂右竪枠１４２を有している。
【００３０】
右竪枠１４の金属右竪枠１４１は、建物開口部の内周に取り付けられた右竪枠本体部１４１ａと、右竪枠本体部１４１ａの室内側内周面から内周方向に延設された室内側壁部１４１ｂと、室内側壁部１４１ｂの室外側において右竪枠本体部１４１ａの内周面から内周方向に延設された引寄せ片部１４１ｃと、右竪枠本体部１４１ａの見込み方向ほぼ中央位置の内周面から内周方向に延設された中央壁部１４１ｄと、右竪枠本体部１４１ａの室外側端から内周方向に延設された室外側壁部１４１ｅを有している。
【００３１】
金属右竪枠１４１の室内側壁部１４１ｂの室外側面には、内障子２の戸先框２４の室内側面に当接する気密材ｓ２４が取付溝等により取り付けられており、室内側面には、樹脂右竪枠１４２を係合する係合部が形成されている。
【００３２】
右竪枠１４の樹脂右竪枠１４２は、金属右竪枠１４１の室内側壁部１４１ｂの係合部に係合して、室内側壁部１４１ｂの見付け（上下）方向全長に亘って室内側面を覆うように配置されている。
樹脂右竪枠１４２は、室内側壁部１４１ｂの内周端面において気密材ｓ２４に当接もしくは近接するように配置されており、金属右竪枠１４の室内側壁部１４１ｂは、室内側に露出することがない。そして、樹脂右竪枠１４２の内周室内側端には室内方向に延びる鍔部１４２ｂが形成されている。
【００３３】
−内、外障子の構成−
（上框の構成）
内、外障子２，３を構成する上框２１，３１は、構造上ほぼ同一であるので、ここでは内障子２の上框２１を用いて説明する。
内障子２を構成する上框２１は、図３に示すように、アルミ合金等の金属材料からなる金属上框２１１と、金属上框２１１の室内側面に配置された樹脂上框２１２を有している。
【００３４】
金属上框２１１は、中空部を有し上方に開口する開口部を有する上框本体部２１１ａと、上框本体部２１１ａの内周（下方）に連設されたガラス間口部２１１ｂを有している。ガラス間口部２１１ｂは、上框本体部２１１ａに比べて見込み方向に幅広に形成されており、上框本体部２１１ａの室内側の下端が室内側へ張り出すように連設されている。上框本体部２１１ａの室内側面の上端とガラス間口部２１１ｂの室内側の下端には、樹脂上框２１２を係止する上下の係止部が形成されている。
【００３５】
樹脂上框２１２は、上框本体部２１１ａの室内側面に配置される上方壁部２１２ａと、ガラス間口部２１１ｂの室内側面に配置される下方壁部２１２ｃと、上方壁部２１２ａと下方壁部２１２ｃとを連結する見込み壁部２１２ｂを有している。上方壁部２１２ａと下方壁部２１２ｃには、それぞれ上、下中空部２１２ｄ，２１２ｅが形成されている。
上方壁部２１２ａの上端および下方壁部２１２ｃの下端にはそれぞれ係止部が形成されており、上框本体部２１１ａの室内側面の上端とガラス間口部２１１ｂの室内側の下端に形成された上下の係止部に対してそれぞれが係止されることで、樹脂上框２１２は金属上框２１１に対して空間を有して室内側に配置されている。
上框２１は、樹脂上框２１２と金属上框２１１との間の空間、および、上、下中空部２１２ｄ，２１２ｅによって、高い断熱性能を有している。
【００３６】
内障子２の上框２１は、上枠１１に摺動自在に案内されており、内、外障子３の閉鎖時において、上框２１の樹脂上框２１２の室内側面に上枠１１の室内側壁部１１１ｂの室外側面に取り付けられた気密材ｓ２１が当接している。
一方、外障子３の上框３１は、上枠１１の室外側上レール１１１ｅに摺動自在に案内されており、上框３１の樹脂上框３１２の室内側面に上枠１１の中央壁部１１１ｄの室外側面に取り付けられた気密材ｓ３１が当接している。
【００３７】
（下框の構成）
内障子２を構成する下框２２は、図３に示すように、アルミ合金等の金属材料からなる金属下框２２１と、金属下框２２１の室内側面に配置され樹脂材料からなる樹脂下框２２２を有している。
【００３８】
内障子２の金属下框２２１は、下枠１２に設けられた室内レールに案内される車輪ｗを収納する下框本体部２２１ａと、下框本体部２２１ａの内周に連設されたガラス間口部２２１ｂを有している。ガラス間口部２２１ｂは、下框本体部２２１ａに比べて見込み方向に幅広に形成されており、下框本体部２２１ａの上端から室内側へ張り出すように連設されている。下框本体部２２１ａの室内側面の下端とガラス間口部２２１ｂの室内側の上端には、樹脂下框２２２を係止する上下の係止部が形成されている。
【００３９】
内障子２の樹脂下框２２２は、見込み方向に並ぶ複数の中空部からなる樹脂下框本体部２２２ａと、樹脂下框本体部２２２ａの下面から延びた複数のヒレ片２２２ｃを有している。複数の中空部のうち最も室内側に配置された室内中空部２２２ｂは他の中空部よりも内周側に延びており、金属下枠１２１のガラス間口部２２１ｂの室内側を覆っている。室内中空部２２２ｂの上端および樹脂下框本体部２２２ａの下端にはそれぞれ係止部が形成されており、下框本体部２２１ａの室内側面の下端とガラス間口部２２１ｂの室内側の上端に形成された上下の係止部に対してそれぞれが係止されることで、樹脂下框２２２は、金属下框２２１に対して空間を有して室内側に配置されている。
下框２２は、樹脂下框２２２と金属下框２２１との間の空間及び複数の中空部によって、高い断熱性能を有している。また、樹脂下框本体部２２２ａの下面から延びた複数のヒレ片２２２ｃは、下枠１２の樹脂下枠１２２の上面に近接しており、樹脂下框本体部２２２ａの下面と樹脂下枠１２２の上面との間の空間を見込み方向に分割している。これによって、下枠１２と下框２２との間に断熱空間が形成されて、内障子２と下枠１２との間は、断熱性能が向上している。
【００４０】
一方、外障子３を構成する下框３２は、図２に示すように、アルミ合金等の金属材料からなる金属下框３２１と、金属下框３２１の室内側に配置される樹脂材料からなる樹脂下框３２２を有している。
外障子３の金属下框３２１は、下枠１２に設けられた室外下レール部１２１ｆに案内される車輪ｗを収納する下框本体部３２１ａと、下框本体部３２１ａの内周に連設されるガラス間口部３２１ｂを有している。ガラス間口部３２１ｂは、下框本体部３２１ａに比べて見込み方向に幅広に形成されており、下框本体部３２１ａの上端から室内側へ張り出すように連設されている。下框本体部３２１ａの室内側面の下端とガラス間口部３２１ｂの室内側の上端には、樹脂下框３２２を係止する上下の係止部が形成されている。
【００４１】
外障子３の樹脂下框３２２は、中空部からなる樹脂下框本体部３２２ａと、樹脂下框本体部３２２ａの室内側内周面から上方に延設され中空部からなる室内樹脂框３２２ｂと、樹脂下框本体部３２２ａの下面から延びた複数のヒレ片３２２ｃを有している。室内樹脂框３２２ｂの上端および樹脂下框本体部３２２ａの下端にはそれぞれ係止部が形成されており、下框本体部３２１ａの室内側面の下端とガラス間口部３２１ｂの室内側の上端に形成された上下の係止部に対してそれぞれが係止されることで、樹脂下框３２２は、金属下框３２１に対して空間を有して室内側に配置されている。
下框３２は、樹脂下框３２２と金属下框３２１との間の空間及び中空部によって、高い断熱性能を有している。また、樹脂下框本体部３２２ａの下面から延びた複数のヒレ片３２２ｃは、下枠１２の外樹脂カバー部材１２４の上面に近接しており、樹脂下框本体部３２２ａの下面と外樹脂カバー部材１２４の上面との間の空間を見込み方向に分割している。これによって、下枠１２と下框３２との間に断熱空間が形成されて、外障子３と下枠１２との間は、断熱性能が向上している。
【００４２】
（戸先框の構成）
内、外障子２，３を構成する戸先框２４，３３は、構造上ほぼ同一であるので、ここでは主に、内障子２の戸先框２４を用いて説明する。
内障子２を構成する戸先框２４は、図４に示すように、アルミ合金等の金属材料からなる金属戸先框２４１と、金属戸先框２４１の室内側面に配置され樹脂材料からなる樹脂戸先框２４２を有している。
【００４３】
金属戸先框２４１は、中空部と中空部の戸先側に連設された開口溝とからなる戸先框本体部２４１ａと、戸先框本体部２４１ａの内周に連設されたガラス間口部２４１ｂを有しており、戸先框本体部２４１ａの開口溝に引寄せブロックｆが配置されている。ガラス間口部２４１ｂは、戸先框本体部２４１ａに比べて見込み方向に幅広に形成されており、戸先框本体部２４１ａの内周端から室内側へ張り出すように連設されている。
戸先框本体部２４１ａの開口溝を構成する室内側壁の戸先側先端部およびガラス間口部２４１ｂの室内側内周端部には、樹脂戸先框２４２を係止する係止部が形成されている。
【００４４】
樹脂戸先框２４２は、戸先框本体部２４１ａの室内側面を覆う戸先側部２４２ａとガラス間口部２４１ｂの室内側面を覆う間口側部２４２ｃと戸先側部２４２ａと間口側部２４２ｃとを連結する見込み方向に延びる断面中空形状の見込み壁部２４２ｂを有している。
樹脂戸先框２４２は、戸先側部２４２ａの戸先側端部および間口側部２４２ｃの内周側端部に係止部が形成されており、戸先框本体部２４１ａおよびガラス間口部２４１ｂに形成された左右の係止部に対してそれぞれが係止されることで、金属戸先框２４１に対して空間を有して室内側に配置されている。
戸先框２４は、樹脂戸先框２４２と金属戸先框２４１との間の空間、および、見込み壁部２４２ｂの中空部によって、高い断熱性能を有している。
【００４５】
また、内、外障子２，３の閉鎖状態において、右竪枠１４と右竪框２４との間においては、右竪枠１４に配置した気密材ｓ２４が戸先框２４に当接するとともに、樹脂右竪枠１４２が樹脂戸先框２４２に近接している。これによって、樹脂戸先框２４２の戸先側部２４２ａと見込み壁部２４２ｂ及び右竪枠１４の樹脂右竪枠１４２とによって半密閉もしくは密閉空間Ｓ２が形成され、右竪枠１４と内障子２との間の断熱性能が向上している。
【００４６】
一方、内、外障子２，３の閉鎖状態において、左竪枠１３と外障子３との間においては、左竪枠１３に配置した気密材ｓ３３が戸先框３３に当接するとともに、副樹脂左竪枠１３３が樹脂戸先框３３２に当接している。これによって、樹脂材料からなる樹脂戸先框３３２の戸先側部３３２ａと見込み壁部３３２ｂ及び左竪枠１３の副樹脂左竪枠１３３とによって半密閉もしくは密閉空間Ｓ３が形成され、左竪枠１３と外障子３との間の断熱性能が向上している。
【００４７】
（召合框の構成）
内障子２を構成する召合框２３は、図４に示すように、アルミ合金等の金属材料からなる金属召合框２３１と、金属召合框２３１の外周側面および室内側面に配置され樹脂部材からなる樹脂召合框２３２を有している。
【００４８】
金属召合框２３１は、中空部を有し室外側面に気密材ｓ５２が取り付けられるとともにＬ形片が形成された召合框本体部２３１ａと、召合框本体部２３１ａの内周に連設されたガラス間口部２３１ｂを有しており、召合框本体部２３１ａとガラス間口部２３１ｂの外周側面および室内側面には、樹脂召合框２３２を係止する複数の係止部が形成されている。
【００４９】
樹脂召合框２３２は、見込み方向および見付け方向にならぶ複数の中空部を有する樹脂召合框本体部２３２ａからなり、金属召合框２３１に形成された複数の係止部に係止されることで、金属召合框２３１の外周側面から室内側面にかけて空間を有して配置されている。
召合框２３は、樹脂召合框２３２と金属召合框２３１との間の空間および複数の中空部によって、高い断熱性能を有している。
【００５０】
外障子３を構成する召合框３４は、図４に示すように、アルミ合金等の金属材料からなる金属召合框３４１と、金属召合框３４１の室内側面に配置された樹脂材料からなる樹脂召合框３４２を有している。
【００５１】
金属召合框３４１は、中空部を有し室内側面に内障子２の金属召合框２３１の室外側面に形成されたＬ形片と協働して煙返しを形成するＬ形片が形成された召合框本体部３４１ａと、召合框本体部３４１ａの内周に連設されたガラス間口部３４１ｂを有している。
召合框本体部３４１ａは、中空部の室内側面に加熱により膨張する加熱膨張材を取り付けるための膨張材取付部３４１ｃを備え、膨張材取付部３４１ｃの内周側には樹脂召合框３４２を係止するための係止部が形成されている。
【００５２】
樹脂召合框３４２は、金属召合框３４１に形成された係止部に係止されることで、召合框本体部３４１ａの室内側面およびガラス間口部３４１ｂの室内側を覆うように取り付けられる。召合框３４は、内、外障子３の閉鎖状態において、内障子２の召合框２３に取り付けられた気密材ｓ５２が樹脂召合框３４２に当接し、外障子３の召合框３４の金属召合框３４１が室内側に露出することがない。
【００５３】
（上枠内周面における断熱構造）
以上のように、本実施形態の断熱サッシは、枠体１および内、外障子２，３を構成する枠材および框材を、金属部材と、金属部材の室内側に配置される樹脂部材によって形成することで、断熱サッシとして構成されている。
ここで、図３に示すように、内、外障子２，３の閉鎖時における見付け方向（左右方向）で内障子２側の領域では、枠体１を構成する上枠１１の内周面が断熱構造を有する内障子２に覆われて、室内側に露出することは少ない。
【００５４】
一方、図２に示すように、見付け方向（左右方向）で外障子３側の領域では、上枠１１の内周面が外障子３に覆われることなく、室内に露出して上枠１１を伝達した外の冷熱が室内に伝わってしまう。
そこで、本実施形態の断熱サッシは、枠体１を構成する上枠１１の外障子３側の内周面にさらに樹脂部材を配置することで、上枠１１の内周面からの冷熱の伝達を抑制して断熱性能を向上させている。
以下に、上記断熱性能を向上させるための構成について、図５を参考にして、説明する。
【００５５】
図５に示すように、上枠１１の室内側に配置される樹脂部材である樹脂上枠１１２は、金属上枠１１の室内側壁部１１１ｂの上端に形成された係合部１１１ｆと、室内側壁部１１１ｂの下端に形成された係合部１１１ｇに係合されることで、金属上枠１１１の室内側壁部１１１ｂの室内側面を見付け（左右）方向全長に亘って覆っている。
樹脂上枠１１２の樹脂上枠本体部１１２ａの下壁は、室内側壁部１１１ｂの下端面を覆うように室外側に延設されており、下壁の室外側端は室内側壁部１１１ｂの下方部位に取り付けられた気密材ｓ２１に当接もしくは近接するように配置されている。
【００５６】
上枠１１の内周面に配置される樹脂カバー部材１１３は、室内側の見付け壁部１１３ｂの下端が金属上枠１１１の室内側壁部１１１ｂに取り付けられた気密材ｓ２１の取付溝１１１ｈ上面に係止されるとともに、室外側の見付け壁部１１３ｃもしくは下壁部１１３ｄに形成された係止部が中央壁部１１１ｄに形成された係合部１１１ｉに係止されることにより、金属上枠１１１に取り付けられている。
樹脂カバー部材１１３の室内側の見付け壁部１１３ｂの下端は、室内側壁部１１１ｂの下方部位に取り付けられた気密材ｓ２１に当接もしくは近接するように配置されている。また、樹脂カバー部材１１３の下壁部１１３ｄは、中央壁部１１１ｄの下端面を覆うように室外側に延設されており、下壁部１１３ｄの室外側端は中央壁部１１１ｄの下方部位に取り付けられた気密材ｓ３１に当接もしくは近接するように配置されている。
【００５７】
さらに、下壁部１１３ｄの室外側下端には、外障子３の上框２１の室内側面に近接する突部１１３ｊが形成されており、金属上枠１１１の外障子３側の内周面は、室内側に露出しない。
なお、下壁部１１３ｄは、内障子２の開閉時において、内障子２の上框２１の室外側の見付け面に近接する振れ止め部として機能している。
【００５８】
そして、本実施形態における断熱サッシにおいては、上枠１１の内周面に配置される樹脂カバー部材１１３は、内周壁部１１３ａに、見込み方向（室内外方向）に２条の突出部材１１５，１１６を有している。
室外側の突出部材１１５は、硬質の合成樹脂材料等からなり樹脂カバー部材１１３の内周壁部１１３ａの室外側の下面に形成された取付溝１１３ｋに取り付けられる取付部１１５ａと、軟質の合成樹脂材料等の弾性材料からなり取付部１１５ａから室内側及び下方に向かって斜めに延びる主突出片部１１５ｂと、軟質の合成樹脂材料等の弾性材料からなり主突出片部１１５ｂの幅方向中央下面から室外側及び下方に向かって斜めに延びる副突出片部１１５ｃを有している。
【００５９】
一方、室内側の突出部材１１６は、硬質の合成樹脂材料等からなり樹脂カバー部材１１３の内周壁部１１３ａの室内側の下面に形成された取付溝１１３ｍに取り付けられる取付部１１６ａと、軟質の合成樹脂材料等の弾性材料からなり取付部１１６ａから室外側及び下方に向かって斜めに延びる主突出片部１１６ｂと、軟質の合成樹脂材料等の弾性材料からなり主突出片部１１６ｂの幅方向中央下面から室内側及び下方に向かって斜めに延びる副突出片部１１６ｃを有している。
【００６０】
そして、上枠１１の樹脂カバー部材１１３に取り付けられた突出部材１１５，１１６は、主突出片部１１５ｂ，１１６ｂの先端同士が近接しており、内周壁部１１３ａと主突出片部１１５ｂ，１１６ｂによって、上枠１１の内周面に第１空間Ｓ１１を形成している。
また、室外側の突出部材１１５の副突出片部１１５ｃの先端は、樹脂カバー部材１１３の室外側の見付け壁部１１３ｃから室内方向に延設された下壁部１１３ｄに近接しており、室外側の見付け壁部１１３ｃと下壁部１１３ｄと突出部材１１５によって、上枠１１の内周面に第２空間Ｓ１２を形成している。
さらに、室内側の突出部材１１６の副突出片部１１６ｃの先端は、樹脂カバー部材１１３の室内側の見付け壁部１１３ｂの下端に近接しており、室内側の見付け壁部１１３ｂと突出部材１１６によって、上枠１１の内周面に第３空間Ｓ１３を形成している。
【００６１】
これによって、内、外障子２，３の閉鎖時における上枠１１の外障子３側の内周面は、樹脂カバー部材１１３によって、室内側に露出することがないように覆われると共に、樹脂カバー部材１１３に取り付けられた突出部材１１５，１１６によって、空間が形成されることとなり、上枠下面における対流を抑制して断熱性能を持たせることができる。特に、主突出片部１１５ｂ，１１６ｂの先端同士の間隔、下壁部１１３ｄと副突出片部１１５ｃの先端との間隔、室内側の見付け壁部１１３ｂと副突出片部１１６ｃの先端を１０ｍｍ以下として、第１空間Ｓ１１、第２空間Ｓ１２、第３空間Ｓ１３をそれぞれ半密閉もしくは密閉空間とすることで、さらに断熱性能を向上させることができる。
そして、半密閉空間もしくは密閉空間等の空間を形成する突出部材１１５，１１６は弾性材料から形成されており、かつ、先端を自由端としたヒレ状に形成されているので、内障子２を枠体１にケンドンによって建て込むときに、突出部材１１５，１１６が容易に変形して、抵抗無く建て込むことができる。
【００６２】
また、突出部材１１５，１１６を、取付状態において斜め下方に向かう主突出片部１１５ｂ，１１６ｂと、主突出片部１１５ｂ，１１６ｂの幅方向中央位置から斜め下方に向かう副突出片部１１５ｃ，１１６ｃとによって構成することで、少ない部材で分断された複数の空間を形成することができ、施工性、断熱性に優れた断熱構造を形成することができる。
【００６３】
なお、本実施形態の断熱サッシにおいては、樹脂カバー部材１１３に形成された突出部材１１５，１１６は、硬質の樹脂材料からなる取付部１１５ａ，１１６ａと、主突出片部１１５ｂ，１１６ｂと、副突出片部１１５ｃ，１１５ｃは、一体的に形成しているが、別体に形成してもよく、また、主突出片部１１５ｂ，１１６ｂと副突出片部１１５ｃ，１１６ｃの形状や位置も特に限定されるものではない。
【符号の説明】
【００６４】
１        ：枠体
１１      ：上枠
１１１    ：金属上枠
１１２    ：樹脂上枠
１１３    ：樹脂カバー部材（樹脂部材）
１１３ａ  ：内周壁部
１１３ｂ  ：見付け壁部
１１３ｃ  ：見付け壁部
１１３ｄ  ：下壁部（振れ止め部）
１１４    ：金属カバー部材
１２      ：下枠
１２１    ：金属下枠
１２２    ：樹脂下枠
１３      ：左竪枠
１３１    ：金属左竪枠
１３２    ：主樹脂左竪枠
１３３    ：副樹脂左竪枠
１４      ：右竪枠
１４１    ：金属右竪枠
１４２    ：樹脂右竪枠
１１５    ：突出部材
１１５ａ  ：取付部
１１５ｂ  ：主突出片部
１１５ｃ  ：副突出片部
１１６    ：突出部材
１１６ａ  ：取付部
１１６ｂ  ：主突出片部
１１６ｃ  ：副突出片部
２        ：内障子
２１      ：上框
２１１    ：金属上框
２１２    ：樹脂上框
２２      ：下框
２３      ：召合框
２３１    ：金属召合框
２３２    ：樹脂召合框
２４      ：戸先框
２４１    ：金属戸先框
２４２    ：樹脂戸先框
３        ：外障子
３１      ：上框
３２      ：下框
３２１    ：金属下框
３２２    ：樹脂下框
３３      ：戸先框
３３２    ：樹脂戸先框
３４      ：召合框
３４１    ：金属召合框
３４２    ：樹脂召合框
Ｓ１１    ：第１空間
Ｓ１２    ：第２空間
Ｓ１３    ：第３空間
【図１】
2019035224.tif 000003
【図２】
2019035224.tif 000004
【図３】
2019035224.tif 000005
【図４】
2019035224.tif 000006
【図５】
2019035224.tif 000007